(57)【要約】【課題】ユーザの操作性を向上させることを目的とする。【解決手段】複数の画像処理装置と、表示部を有する操作端末装置と、を含む情報処理システムであって、画像処理装置は、状態変化を検知すると、無線通信を介して操作端末装置に状態情報を通知する通知手段を有し、操作端末装置は、無線通信を介して画像処理装置より状態情報の通知を受け取ると、画像処理装置の操作画面を表示部に表示させる表示制御手段を有することによって課題を解決する。【選択図】図５
2016019159.tif 000002
【特許請求の範囲】
【請求項１】
複数の画像処理装置と、表示部を有する操作端末装置と、を含む情報処理システムであって、
前記画像処理装置は、
状態変化を検知すると、無線通信を介して前記操作端末装置に状態情報を通知する通知手段を有し、
前記操作端末装置は、
前記無線通信を介して前記画像処理装置より前記状態情報の通知を受け取ると、前記画像処理装置の操作画面を前記表示部に表示させる表示制御手段を有する情報処理システム。
【請求項２】
前記表示制御手段は、前記画像処理装置より前記状態情報の通知を受け取った際に、前記情報処理システムに含まれる他の画像処理装置の操作画面を前記表示部に表示していた場合、前記操作画面に前記状態情報の内容を表示させる請求項１記載の情報処理システム。
【請求項３】
前記表示制御手段は、前記画像処理装置より前記状態情報の通知を受け取った際に、前記情報処理システムに含まれる他の画像処理装置の操作画面を前記表示部に表示していた場合、前記操作画面に前記画像処理装置の操作画面に切り替える切替オブジェクトを表示させる請求項１記載の情報処理システム。
【請求項４】
前記表示制御手段は、前記画像処理装置より前記状態情報の通知を受け取った際に、前記情報処理システムに含まれる他の画像処理装置の操作画面を前記表示部に表示していた場合、前記画像処理装置の操作画面を前記表示部に表示させるか、前記他の画像処理装置の操作画面を前記表示部に表示させるかを選択させる選択画面を前記表示部に表示させる請求項１記載の情報処理システム。
【請求項５】
前記通知手段は、原稿がセットされたことを検知した場合、無線通信を介して前記操作端末装置に原稿がセットされたことを前記状態情報として通知する請求項１乃至４何れか１項記載の情報処理システム。
【請求項６】
状態変化を検知すると、無線通信を介して操作端末装置に状態情報を通知する通知手段と、
前記操作端末装置の表示部に表示された操作画面を介して取得された操作データを、前記無線通信を介して前記操作端末装置より受け取ると、前記操作データに応じて処理を実行する制御手段と、
を有する画像処理装置。
【請求項７】
前記通知手段は、原稿がセットされたことを検知した場合、無線通信を介して前記操作端末装置に原稿がセットされたことを前記状態情報として通知する請求項６記載の画像処理装置。
【請求項８】
表示部を有する操作端末装置であって、
無線通信を介して画像処理装置より前記画像処理装置の状態情報の通知を受け取ると、前記画像処理装置の操作画面を前記表示部に表示させる表示制御手段と、
前記操作画面を介して取得された前記画像処理装置に対する操作データを、前記無線通信を介して前記画像処理装置に送信する送信手段と、
を有する操作端末装置。
【請求項９】
前記表示制御手段は、前記画像処理装置より前記状態情報の通知を受け取った際に、他の画像処理装置の操作画面を前記表示部に表示していた場合、前記操作画面に前記状態情報の内容を表示させる請求項８記載の操作端末装置。
【請求項１０】
前記表示制御手段は、前記画像処理装置より前記状態情報の通知を受け取った際に、他の画像処理装置の操作画面を前記表示部に表示していた場合、前記操作画面に前記画像処理装置の操作画面に切り替える切替オブジェクトを表示させる請求項８記載の操作端末装置。
【請求項１１】
前記表示制御手段は、前記画像処理装置より前記状態情報の通知を受け取った際に、他の画像処理装置の操作画面を前記表示部に表示していた場合、前記画像処理装置の操作画面を前記表示部に表示させるか、前記他の画像処理装置の操作画面を前記表示部に表示させるかを選択させる選択画面を前記表示部に表示させる請求項８記載の操作端末装置。
【請求項１２】
画像処理装置が実行する情報処理方法であって、
状態変化を検知すると、無線通信を介して操作端末装置に状態情報を通知する通知ステップと、
前記操作端末装置の表示部に表示された操作画面を介して取得された操作データを、前記無線通信を介して前記操作端末装置より受け取ると、前記操作データに応じて処理を実行する制御ステップと、
を含む情報処理方法。
【請求項１３】
表示部を有する操作端末装置が実行する情報処理方法であって、
無線通信を介して画像処理装置より前記画像処理装置の状態情報の通知を受け取ると、前記画像処理装置の操作画面を前記表示部に表示させる表示制御ステップと、
前記操作画面を介して取得された前記画像処理装置に対する操作データを、前記無線通信を介して前記画像処理装置に送信する送信ステップと、
を含む情報処理方法。
【請求項１４】
コンピュータに、
状態変化を検知すると、無線通信を介して操作端末装置に状態情報を通知する通知ステップと、
前記操作端末装置の表示部に表示された操作画面を介して取得された操作データを、前記無線通信を介して前記操作端末装置より受け取ると、前記操作データに応じて処理を実行する制御ステップと、
を実行させるためのプログラム。
【請求項１５】
表示部を有するコンピュータに、
無線通信を介して画像処理装置より前記画像処理装置の状態情報の通知を受け取ると、前記画像処理装置の操作画面を前記表示部に表示させる表示制御ステップと、
前記操作画面を介して取得された前記画像処理装置に対する操作データを、前記無線通信を介して前記画像処理装置に送信する送信ステップと、
を実行させるためのプログラム。
【発明の詳細な説明】
【技術分野】
【０００１】
本発明は、ユーザの操作性を高めることができる情報処理システム、画像処理装置、操作端末装置、情報処理方法及びプログラムに関する。
【背景技術】
【０００２】
近年、画像処理装置の高機能化に伴い、その操作部が取り外し可能な構成をとる提案がなされている（特許文献１）。
また、画像処理装置の取り外しが可能な操作部を高機能化し、画像編集を行う提案もなされている（特許文献２）。
更に、装置の操作部からそれに接続される複数の装置から印刷出力したい装置を選択し、印刷出力を行う技術も提案されている（特許文献３）。
【先行技術文献】
【特許文献】
【０００３】
【特許文献１】特開２００９−１３９７７２号公報
【特許文献２】特開２００９−１０１４１２号公報
【特許文献３】特開平９−１４６７３１号公報
【発明の概要】
【発明が解決しようとする課題】
【０００４】
上記従来技術のように画像処理装置に取り外し可能な操作部において、それに接続される複数の装置をユーザが選択する必要があった。しかしながら、従来技術のように操作したい画像処理装置を、ユーザが選択する必要がないと判断できる場合がある。一例として、前記取り外し可能な操作部が、使用されていない場合で、原稿を操作したい画像処理装置に置いた場合である。この場合、操作する画像処理装置は原稿を置いた装置であることは明白である。
したがって、ユーザが前記操作部に接続された複数の画像装置の中から、選択する操作をすることは非常に無駄であり、ユーザの使い勝手もよくない問題があった。
【課題を解決するための手段】
【０００５】
そこで、本発明は、複数の画像処理装置と、表示部を有する操作端末装置と、を含む情報処理システムであって、前記画像処理装置は、状態変化を検知すると、無線通信を介して前記操作端末装置に状態情報を通知する通知手段を有し、前記操作端末装置は、前記無線通信を介して前記画像処理装置より前記状態情報の通知を受け取ると、前記画像処理装置の操作画面を前記表示部に表示させる表示制御手段を有する。
【発明の効果】
【０００６】
本発明によれば、ユーザの操作性を向上させることができる。
【図面の簡単な説明】
【０００７】
【図１】情報処理システムのシステム構成等の一例を示す図である。
【図２】第一の画像処理装置のハードウェア構成等の一例を示す図である。
【図３】操作部のハードウェア構成の一例を示す図である。
【図４】第二の画像処理装置のハードウェア構成等の一例を示す図である。
【図５】情報処理システムの情報処理の一例を示すフローチャートである。
【図６】操作画面等の一例を示す図である。
【発明を実施するための形態】
【０００８】
以下、本発明の実施形態について図面に基づいて説明する。
【０００９】
＜実施形態１＞
図１は、情報処理システムのシステム構成等の一例を示す図である。
第一の画像処理装置１０１は、コピー機能、ネットワークインターフェースやローカルインターフェース等の外部インターフェース経由でＰＣからの印刷データを受けプリントする機能を有する。第一の画像処理装置１０１のハードウェア構成については図２で詳細に説明する。
第一の画像処理装置１０１から取り外し可能な操作部１０２は、ユーザが第一の画像処理装置１０１を使用する際の命令入力や、ユーザが第一の画像処理装置１０１の設定を行う際の内容確認表示を行う。取り外した状態での第一の画像処理装置１０１と操作部１０２との情報のやりとりはワイヤレス通信により行われる。操作部１０２のハードウェア構成については図３で詳細に説明する。また、第一の画像処理装置１０１と操作部１０２との情報処理は図５で詳細に説明する。また、第二の画像処理装置１０３は、第一の画像処理装置１０１より低機能な画像処理装置である。第一の画像処理装置１０１の操作部１０２が取り外せ、ワイヤレス通信を行えるのに対し、第二の画像処理装置１０３の操作部は取り外し不可で、有線にて接続される点が異なる。このため、第二の画像処理装置１０３の詳細な説明は省略し、第一の画像処理装置１０１との差分のみ後で説明する。
【００１０】
図２は、第一の画像処理装置１０１のハードウェア構成等の一例を示す図である。
コントローラ部２０１は、ネットワークＩ／Ｆ２１２やローカルＩ／Ｆ２１３を経由して受信した印刷データを処理する。コントローラ部２０１は、ＣＰＵ２２０を内蔵し主に印刷データをエンジン部２０２に渡す処理をするＡＳＩＣ２１１を有する。また、コントローラ部２０１は、プログラムの記憶やユーザデータの一時保持等を行うＲＯＭ２１８や、印刷データを処理する場合の画像展開領域やプログラムのワーク領域であるＲＡＭ２１９を有する。また、コントローラ部２０１は、ユーザに画像処理装置の状況を伝えユーザからの操作入力が行える操作部１０２を取り外した際に操作部１０２と操作部情報のやり取りを行うワイヤレス制御部２１５とアンテナ２１６とを有する。操作部情報は、操作部１０２上の後述する図３のＬＣＤ表示部３０７に表示するイメージや表示コマンドや、操作部１０２上の後述する図３のキー操作部３０６から入力されるキー操作情報である。操作部１０２が第一の画像処理装置１０１に装着されているときには、操作部１０２とは操作部インターフェース２１７を介して操作部情報がやり取りされる。その際には、第一の画像処理装置１０１のワイヤレス制御部２１５と操作部１０２上の後述する図３のワイヤレス制御部３０４とは、それぞれのＣＰＵ（ＣＰＵ２２０とＣＰＵ３０１と）が通電を制御して入力電源を切ることもできる。
【００１１】
また、コントローラ部２０１は、外部インターフェースを介してＰＣとデータ送受信を行うネットワークＩ／Ｆ２１２やローカルＩ／Ｆ２１３を有する。外部インターフェースには、イーサネット（登録商標）やＵＳＢ等が想定される。また、コントローラ部２０１は、処理した印刷データをエンジン部２０２へ送るエンジンＩ／Ｆ２１４も有する。
また、第一の画像処理装置１０１は、コントローラ部２０１からの印刷データを紙に印刷するエンジン部２０２を有する。
また、コントローラ部２０１は、リーダーＩ／Ｆ２２１を有する。リーダー部２２２にて読み取った原稿の画像データは、ＡＳＩＣ２１１にて画像処理され、エンジンＩ／Ｆ２１４を通し、エンジン部２０２に出力される。又は、前記画像データは、ネットワークＩ／Ｆ２１２、ローカルＩ／Ｆ２１３を通して、出力される。
ＣＰＵ２２０がＲＯＭ２１８又はＲＡＭ２１９に記憶されているプログラムに基づき処理を実行することによって、第一の画像処理装置１０１の機能等が実現される。
【００１２】
図３は、操作部１０２のハードウェア構成の一例を示す図である。
操作部１０２では、ＣＰＵ３０１、ＲＯＭ３０２、ＲＡＭ３０３、ワイヤレス制御部３０４がバス３１０を介して接続されている。ワイヤレス制御部３０４にはアンテナ３０５が接続されている。また、キー操作部３０６、ＬＣＤ表示部３０７はＣＰＵ３０１に接続されている。また、ＬＣＤ表示部３０７は、タッチパネルの機能を持ち、ＬＣＤ表示部３０７のどの場所を押下されたかを検出することができる。ＲＯＭ３０２には操作部１０２全体を制御するプログラムが格納されている。ＣＰＵ３０１は、このプログラムを実行する。また、ＲＯＭ３０２は、第一の画像処理装置１０１、第二の画像処理装置１０３の表示データ、設定等を格納する。ＣＰＵ３０１は、これらのデータ等に基づき、ＬＣＤ表示部３０７の表示を行う。
キー操作部３０６は、ユーザが第一の画像処理装置１０１を使用する際の命令を入力と際に使用される。ＬＣＤ表示部３０７は、第一の画像処理装置１０１の状態やユーザが第一の画像処理装置１０１の設定を行う際の内容確認表示を行う。また、ＬＣＤ表示部３０７はタッチパネルであり、操作の検知はキー操作部３０６にて行われる。
【００１３】
本体接続部３０８は、第一の画像処理装置１０１に操作部１０２を装着した状態での第一の画像処理装置１０１と操作部１０２との間の情報をやり取りする有線インターフェースである。本体接続部３０８は、データ信号線や制御信号線及び電力供給線を有している。第一の画像処理装置１０１に操作部１０２が装着された状態ではこの電力供給線を通して第一の画像処理装置１０１から操作部１０２に電力が供給される。また、第一の画像処理装置１０１に操作部１０２が装着された状態ではワイヤレス制御部３０４での通信は行わないので、ＣＰＵ３０１は、ワイヤレス制御部３０４への電力供給を停止することもできる。
バッテリー３０９は、操作部１０２全体に電力を供給する充電可能な二次電池である。第一の画像処理装置１０１に操作部１０２が装着された状態では、バッテリー３０９からの電力供給は行わず第一の画像処理装置１０１から本体接続部３０８を経由して操作部１０２に電力供給が行われる。第一の画像処理装置１０１から操作部１０２を取り外した状態ではバッテリー３０９から操作部１０２に電力供給が行われる。
ＣＰＵ３０１が、ＲＯＭ３０２等に記憶されているプログラムに基づき処理を実行することによって、操作部１０２の機能及び後述する操作部１０２のフローチャートの処理が実現される。
【００１４】
図４は、第二の画像処理装置１０３のハードウェア構成等の一例を示す図である。第二の画像処理装置１０３のハードウェア構成は図２の第一の画像処理装置１０１のハードウェア構成とほぼ同じ構成である。各数字の下２桁が同じものは、同じ機能を有する。このため、以下では主に異なる部分に関して説明する。
第二の画像処理装置１０３の操作部４２３は操作部１０２と異なり、機能が限定された操作部である。第二の画像処理装置１０３の本体接続部４２４は、第二の画像処理装置１０３の操作部４２３と第二の画像処理装置１０３のコントローラ部４０１との接続部である。第二の画像処理装置１０３のキー操作部４２６は、第二の画像処理装置１０３のＣＰＵ４２０等から本体接続部４２４を通して制御される。同様に、第二の画像処理装置１０３の表示を行う第二の画像処理装置１０３のＬＣＤ表示部４２５も第二の画像処理装置１０３のＣＰＵ４２０等から直接、制御される。
ＣＰＵ４２０がＲＯＭ４１８又はＲＡＭ４１９に記憶されているプログラムに基づき処理を実行することによって、第二の画像処理装置の機能等が実現される。
【００１５】
図５は、情報処理システムの情報処理の一例を示すフローチャートである。図５（ａ）は原稿を検知した第二の画像処理装置１０３の動作（Ｓ５０１からＳ５０６まで）を示す。図５（ｂ）は第一の第一の画像処理装置１０１から取り外された操作部１０２の動作（Ｓ５０７からＳ５１８まで）を示す。
図６は、操作部１０２のＬＣＤ表示部３０７の表示の例を示す図である。
第二の画像処理装置１０３にユーザがリーダー部４２２に原稿を置くと、Ｓ５０１にて、リーダーＩ／Ｆ４２１を通し、ＣＰＵ４２０は、原稿が置かれたことを検知する。
Ｓ５０２にて、ＣＰＵ４２０は、第一の画像処理装置１０１から取り外されている操作部１０２に、原稿を検知したことを示す原稿検知データを、ワイヤレス通信部４１５、アンテナ４１６を通じて通知する。原稿検知データは、状態情報の一例である。
【００１６】
Ｓ５０３にて、ＣＰＵ４２０は、操作部１０２からワイヤレス通信を通じ、操作部１０２が使用可能であることを示す返答を待つ。ＣＰＵ４２０は、使用可能であることを示すデータを受信した場合、Ｓ５０４に進み、使用不可能であることを示すデータを受信した場合、Ｓ５０５に進む。
Ｓ５０４にて、ＣＰＵ４２０は、操作部１０２からのデータに従い動作する。より具体的に説明すると、ユーザが操作部１０２を操作してコピー動作を指示した場合、ＣＰＵ４２０は、操作部１０２からコピー動作を実行する旨の指示を受け取り、コピー動作を実行するようエンジン部４０２等を制御する。
Ｓ５０５にて、ＣＰＵ４２０は、第二の画像処理装置１０３内の操作部４２３を操作部として動作させ、図５（ａ）の処理を終了する。
Ｓ５０６にて、ＣＰＵ４２０は、操作部１０２から使用不可能であることを示すデータを、受信した場合、図５（ａ）の処理を終了する。
【００１７】
Ｓ５０７からは、操作部１０２の動作を示すフローチャートである。
Ｓ５０７にて、ＣＰＵ３０１は、取り外されているか否かを判定する。ＣＰＵ３０１は、取り外されている場合、Ｓ５０９に進み、取り外されていない場合、Ｓ５０８に進む。
Ｓ５０８にて、ＣＰＵ３０１は、第一の画像処理装置１０１の操作部として動作する。
一方、Ｓ５０９にて、ＣＰＵ３０１は、第一の画像処理装置１０１の操作部として使用されていないことを確認する。ＣＰＵ３０１は、操作部１０２内の本体接続部３０８を通じ、第一の画像処理装置１０１に取り付けられているか否かを監視し、確認する。ＣＰＵ３０１は、第一の画像処理装置１０１の操作部として使用されている場合、Ｓ５１５に進み、第一の画像処理装置１０１の操作部として使用されていない場合、Ｓ５１０に進む。
Ｓ５１０にて、ＣＰＵ３０１は、第二の画像処理装置１０３の原稿検知データを受信したかどうかを確認する。ここで、ＣＰＵ３０１は、アンテナ３０５、ワイヤレス制御部３０４を通じ、第二の画像処理装置１０３からの原稿検知データの受信を、常時検知する。ＣＰＵ３０１は、原稿検知データを受信している場合、Ｓ５１１に進み、受信していない場合、Ｓ５１５に進む。
【００１８】
Ｓ５１１にて、ＣＰＵ３０１は、第二の画像処理装置１０３に操作部１０２の使用許可を示す使用許可データを送信する。
その後、Ｓ５１２にて、ＣＰＵ３０１は、第二の画像処理装置１０３の操作部として動作する。より具体的に説明すると、ＣＰＵ３０１は、ＲＯＭ３０２から第二の画像処理装置１０３の表示データを読み出し、ＬＣＤ表示部３０７へデータを送信し、表示を行うよう制御する（表示制御）。図６の（ａ）は、第二の画像処理装置１０３の操作画面の一例を示す図である。
また、ＣＰＵ３０１は、操作画面等を介したキー操作部３０６からの入力を検知し、ワイヤレス制御部３０４、アンテナ３０５を通して、第二の画像処理装置１０３へ、キー操作のデータを送信する。キー操作のデータは、操作画面を介して取得された操作データの一例である。
Ｓ５１３にて、ＣＰＵ３０１は、操作部１０２が一定時間操作されていないかどうかを確認する。ＣＰＵ３０１は、一定時間操作がない場合には、Ｓ５１４に進み、操作がある場合には、Ｓ５１２の処理に戻る。
Ｓ５１４にて、ＣＰＵ３０１は、第二の画像処理装置１０３の操作は終了したとみなし、第二の画像処理装置１０３に使用不可を示す使用不可データを送信する。
【００１９】
ここで、ＣＰＵ３０１は、Ｓ５０９においてＹＥＳと判定した場合、Ｓ５１５に進むものとして説明を行ったが、Ｓ５０９から直接Ｓ５１５に進まず、Ｓ５１０のような判定を行ってもよい。即ち、操作部１０２が第一の画像処理装置１０１の操作部として使用されているときに、第二の画像処理装置１０３から原稿検知データを受信したか否かを判定するようにしてもよい。ＣＰＵ３０１は、操作部１０２が第一の画像処理装置１０１の操作部として使用されているときに、第二の画像処理装置１０３から原稿検知データを受信した場合、図６の（ｂ）の操作画面をＬＣＤ表示部３０７に表示するよう制御してもよい。図６の（ｂ）の操作画面には原稿検知データの内容として、第二の画像処理装置１０３に原稿がセットされた旨が６０１に表示されている。また、図６の（ｂ）の操作画面には、現在、第一の画像処理装置１０１の操作部として使用されているが、それを第二の画像処理装置１０３の操作部に切り替える旨を促す、切替ボタン６０２が表示されている。切替ボタン６０２は、切替オブジェクトの一例である。
上述した判定で、第二の画像処理装置１０３から原稿検知データを受信していないと判定した場合、ＣＰＵ３０１は、Ｓ５１５に進むようにしてもよい。
【００２０】
Ｓ５１５にて、ＣＰＵ３０１は、操作部１０２が一定時間操作されていないか監視する。ＣＰＵ３０１は、操作部１０２が操作されている間は、第一の画像処理装置１０１の操作部として動作し、操作部１０２が一定時間操作されていない場合、Ｓ５１６に進む。
Ｓ５１６にて、ＣＰＵ３０１は、ＬＣＤ表示部３０７の表示を図６（Ｃ）のように装置を選択する選択画面に変更する。
次にＳ５１７にて、ＣＰＵ３０１は、前記選択画面において、第一の画像処理装置１０１が選択されたか否かを判定する。ＣＰＵ３０１は、ボタン６０３が選択された場合は、第一の画像処理装置１０１が選択されたと判定し、Ｓ５０８に進み、ボタン６０３が選択されなかった場合は、第一の画像処理装置１０１が選択さなかったと判定し、Ｓ５１８に進む。Ｓ５０８に進むことにより、操作部１０２は、第一の画像処理装置１０１の操作部として動作する。
Ｓ５１８にて、ＣＰＵ３０１は、前記選択画面において、第二の画像処理装置１０３が選択されたか否かを判定する。ＣＰＵ３０１は、ボタン６０４が選択された場合は、第二の画像処理装置１０３が選択されたと判定し、Ｓ５１１に進み、ボタン６０４が選択されなかった場合は、第二の画像処理装置１０３が選択されなかったと判定し、Ｓ５１７に戻る。Ｓ５１１に進むことにより、操作部１０２は、第二の画像処理装置１０３の操作部として動作する。
【００２１】
ＣＰＵ３０１は、前記選択画面において画像処理装置が選択された場合には、選択された画像処理装置以外の画像処理装置の操作画面にはＬＣＤ表示部３０７の表示を自動的に切り替えないようにしてもよい。
また、画像処理装置のＣＰＵはエラーが発生した場合、エラーが発生した旨の状態変化の情報を操作部１０２に送信するようにしてもよい。操作部１０２のＣＰＵ３０１は、前記情報を受信すると、エラーが発生した画像処理装置を識別する情報等を含むエラーメッセージをＬＣＤ表示部３０７に表示するように表示制御してもよい。
また、画像処理装置のＣＰＵは操作部１０２より使用許可のデータを受信した場合、画像処理装置にあるＬＥＤ等を点灯、点滅させ、操作部１０２によって操作されていることを明示するようにしてもよい。
更に、操作部１０２のＣＰＵ３０１は、取り外し操作部を持たない第二の画像処理装置１０３の読み込んだ画像を、ワイヤレス通信を通じ受信し、ＬＣＤ表示部３０７に表示させるよう表示制御してもよい。
また、ワイヤレス通信の方法は、ＷｉＦｉ、Ｂｌｕｅｔｏｏｔｈ（登録商標）、ＺｉｇＢｅｅ、赤外線通信等の近距離無線通信方法であってもよい。
また、操作部１０２のＬＣＤ表示部はタッチパネルでなく、キー操作部とは別としてもよい。
【００２２】
本実施形態では、情報処理システムに含まれる複数の画像処理装置として２台を例に説明してきたが、操作部１０２は、更に多くの画像処理装置とワイヤレス通信で接続される構成を取ってもよい。更に、スマートフォン等のデバイスに、操作部１０２と同様の動作を行うプログラムをインストールし、前記デバイスを操作部１０２の代わりとすることもできる。操作部１０２やスマートフォン等は、操作端末装置の一例である。
本実施形態の処理によれば、操作部１０２のパネル表示がユーザの使用する画像処理装置のものに自動的に切り替わるため、ユーザの利便性が向上する。特に接続される画像処理装置が多ければ、原稿を入れることにより、操作部が使用したい画像処理装置に変更されるので、使い勝手がよい。又は、操作部１０２一つで、これに接続可能な第一の画像処理装置１０１、第二の画像処理装置１０３の設定が可能となるため、ユーザの利便性が向上する。
また、本実施形態の処理によれば、ユーザは操作部１０２において、他の画像処理装置を操作中でもエラーが発生した画像処理装置がわかるので、利便性が向上する。
【００２３】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２４】
以上、上述した実施形態の処理によれば、ユーザの操作性を向上させることができる。
【符号の説明】
【００２５】
１０１  画像処理装置、１０２  操作部、２２０  ＣＰＵ
【図１】
2016019159.tif 000003
【図２】
2016019159.tif 000004
【図３】
2016019159.tif 000005
【図４】
2016019159.tif 000006
【図５】
2016019159.tif 000007
【図６】
2016019159.tif 000008